(57)【要約】【課題】セット部側と送受信データ量を減らし、同じ性能のフォトカプラを使用した場合でも高通信スピードの放電ランプ点灯装置を実現する。【解決手段】電源１１の直流電圧をコンバータ１２にて降圧し、インバータ１５で交流電圧に変換し、ランプ始動回路１６で高圧電圧を発生し放電ランプ１７を点灯させる。制御回路２０はスイッチング信号ａとスイッチ素子ＳＷ１，ＳＷ２とＳＷ３，ＳＷ４を交互にオンオフさせる駆動信号ｄをそれぞれ生成する。スイッチング信号ａはインターフェース回路１９に供給される制御信号ＳＣＩのデューティに基づき、駆動信号ｄは点灯、消灯、調光等の情報を含んだ制御信号ＳＣＩの立ち上がりに基づくタイミングでそれぞれ生成する。制御回路２０はランプ点灯制御部１００からの温度情報ｅに基づき異なるデューティのフラグ信号ＦＧを出力する。このフラグ信号ＦＧに基づき、セット部２００側でランプ点灯制御部１００の状態が把握できる。【選択図】図１
2009087549.tif 000002
【特許請求の範囲】
【請求項１】
スイッチング信号に基づき入力直流電圧を昇圧または降圧させ、所望の直流電圧および電力に変換して出力するコンバータと、
前記直流電圧を交流電圧に変換し、高圧放電ランプに投入するインバータと、
前記ランプ始動時に、該放電灯に高電圧を印加するランプ始動回路と、
前記スイッチング信号を生成するとともに、該スイッチング信号のデューティを可変し、前記放電灯の調光制御を行う制御回路と、
前記制御回路に供給される動作情報に基づいてデューティのフラグ信号を生成するインターフェース回路と、を具備したことを特徴するランプ点灯装置。
【請求項２】
前記動作情報は、前記コンバータ、前記インバータ、前記ランプの少なくとも何れかの温度状態に基づき生成されたものであることを特徴とする請求項１記載のランプ点灯装置。
【請求項３】
請求項１または２の何れかの放電灯点灯装置と、
前記放電灯を光源とし、該光源から放射される光に基づき、色分離した各画像を切り換えて表示するＤＬＰ方式の画像投影装置本体と、を具備したことを特徴とする液晶プロジェクタ。
【発明の詳細な説明】
【技術分野】
【０００１】
この発明は、ＤＬＰ（登録商標）（Digital Light Processing）方式の液晶プロジェクタに用いられる高輝度放電ランプを安定に点灯制御するランプ点灯装置およびこれを用いた液晶プロジェクタに関する。
【背景技術】
【０００２】
従来の液晶プロジェクタに放電ランプを点灯させ制御する安定化電源のランプ点灯装置とこのランプ点灯装置に各種コマンドやデータを与えるセット部間との双方向通信は、フォトカプラを介した一対の信号ラインで行われていた。（例えば、特許文献１）
【特許文献１】特開２００７−１４９６３５公報
【発明の開示】
【発明が解決しようとする課題】
【０００３】
上記した特許文献１の技術は、ランプ点灯装置は安全規格上で１次側に配置され、セット側マイコンは２次側に配置される。１次−２次間の信号伝達には安全規格上認められたフォトカプラでは信号伝達スピードが遅い欠点がある。このため特許文献１の図９に示すようにデータやコマンド等の送受信に要する時間が４４ｍｓとなる。この時間経過後にランプ点灯装置が反応することから、通信時間とマイコンの処理に大きな時間を要し、ランプ電流の反転時刻に合わせてカラーフィルタの色の境目との同期が取れなくなる。この同期が取れていないと画像が正しく表示されない、という問題があった。
【０００４】
この発明の目的は、セット部側との送受信されるデータ量を減らすことにより、同じ性能のフォトカプラを使用した場合でも通信スピードを向上させた放電ランプのランプ点灯装置およびこのランプ点灯装置を用いたＤＬＰ方式による液晶プロジェクタを提供することにある。
【課題を解決するための手段】
【０００５】
上記した課題を解決するために、この発明のランプ点灯装置は、スイッチング信号に基づき入力直流電圧を昇圧または降圧させ、所望の直流電圧および電力に変換して出力するコンバータと、前記直流電圧を交流電圧に変換し、高圧放電ランプに投入するインバータと、前記ランプ始動時に、該放電灯に高電圧を印加するランプ始動回路と、前記スイッチング信号を生成するとともに、該スイッチング信号のデューティを可変し、前記放電灯の調光制御を行う制御回路と、前記制御回路に供給される動作情報に基づいてデューティのフラグ信号を生成するインターフェース回路と、を具備したことを特徴する。
【０００６】
また、この発明の液晶プロジェクタは、上記構成の放電灯点灯装置と、前記放電灯を光源とし、該光源から放射される光に基づき、色分離した各画像を切り換えて表示するＤＬＰ方式の画像投影装置本体と、を具備したことを特徴とする。
【発明の効果】
【０００７】
この発明のランプ点灯装置では、同じ伝送スピードのフォトカプラを使用した場合でも通信スピードを向上させることでＤＬＰ方式の液晶プロジェクタに適したランプ点灯装置を実現することができる。
【発明を実施するための最良の形態】
【０００８】
以下、この発明を実施するための最良の形態について、図面を参照しながら詳細に説明する。
【０００９】
図１、図２は、この発明のランプ点灯装置に関する第１の実施形態について説明するための、図１は回路構成図で、図２は図１要部の具体的な回路図である。
【００１０】
図１において、１０００はランプ点灯装置を、１００はランプを点灯させる点灯制御部を、２００はセット部をそれぞれ構成している。
【００１１】
ランプ点灯装置１０００の１１は直流電源であり、この電源１１の直流電圧を降圧させるコンバータ１２に供給する。コンバータ１２は、電源１１の正極から例えばＭＯＳ型ＦＥＴトランジスタによるスイッチ素子ＳＷを介してチョークコイルＬの一端とアノードが接地されたダイオードＤのカソードにそれぞれ接続する。コイルＬの他端は平滑用コンデンサＣ１を介して接地するとともに、ランプ電圧検出部１３を介して接地する。ランプ電圧検出部１３の接地側とコンデンサＣ１の接地側との間には、ランプ電流検出部１４を介在させる。スイッチング素子ＳＷは、スイッチング信号ａに基づきオン、オフ制御される。
【００１２】
コンバータ１２の出力は、コンバータ１２から出力される直流電圧を交流電圧に変換するインバータ１５を構成する例えばＭＯＳ型ＦＥＴトランジスタによるスイッチ素子ＳＷ１〜ＳＷ４を組み合わせたフルブリッジのスイッチ素子ＳＷ１，ＳＷ４に接続する。スイッチ素子ＳＷ１はスイッチ素子ＳＷ３を介して接地し、スイッチ素子ＳＷ４はスイッチ素子ＳＷ２を介して接地する。スイッチ素子ＳＷ１，ＳＷ３の接続点は、ランプ点灯時に高圧パルス電圧を発生させるランプ始動回路１６の一方の入力に接続する。スイッチ素子ＳＷ４，ＳＷ２の接続点は、ランプ始動回路１６の他方の入力に接続する。スイッチ素子ＳＷ１とＳＷ２は同時にオン／オフし、スイッチ素子ＳＷ３とＳＷ４は同時にオン／オフするが、極性反転信号によりそれぞれ逆にオン／オフ動作が行われる。ランプ始動回路１６の出力は高圧放電ランプ１７に供給する。
【００１３】
セット部２００の１８は入力端子であり、この入力端子１８には制御信号ＳＣＩが入力され、この制御信号ＳＣＩはインターフェース回路１９に入力する。制御信号ＳＣＩは、デューティを異ならせることで調光用制御信号となるばかりか、ランプ１７の点灯、消灯、同期の制御信号ともなる。インターフェース回路１９では、入力された制御信号ＳＣＩに基づき、点灯、消灯、同期の制御信号ＳＣＩ’の他に、制御信号ＳＣＩのデューティに基づいた値の直流電力を制御信号ＣＬとして導出し、制御回路２０に供給する。
【００１４】
制御回路２０からは、スイッチング素子ＳＷをオンオフさせるスイッチング信号ａ、スイッチ素子ＳＷ１〜ＳＷ４を駆動する駆動信号ｄを出力する。また、制御回路２０にはコンバータ１２のランプ電圧検出部１３の電圧検出信号ｂとランプ電流検出部１４の電流検出信号ｃ、コンバータ１２とインバータ１５の温度情報ｅ、ランプ１７のランプ温度情報ｆがそれぞれ供給される。
【００１５】
さらに制御回路２０からは、電圧検出信号ｂ、電流検出信号ｃ、温度情報ｅ、ランプ温度情報ｆに基づくフラグ信号ＦＧ’信号を生成し、インターフェース回路１９に対して供給する。インターフェース回路１９は、フラグ信号ＦＧ’信号に基づいたフラグ信号ＦＧ情報を生成し出力端子２１に出力する。なお、制御回路２０に供給される温度情報ｅ、ランプ温度情報ｆは、ランプ点灯装置１０００の動作情報である。
【００１６】
図２はインターフェース回路１９の具体的な回路例を示すものである。図２において、インターフェース回路１９は、入力端子１８に入力された制御信号ＳＣＩを、フォトカプラＰａの発光ダイオードとフォトトランジスタから構成するフォトカプラＰａの発光ダイオードに供給し、フォトカプラＰａのフォトトランジスタ側からインターフェース回路１９の出力として制御信号ＳＣＩ’、ＣＬを制御回路２０に供給する。制御回路２０からは、制御信号ＳＣＩ’に基づいたスイッチング信号ａ、駆動信号ｄを生成してそれぞれ出力する。
【００１７】
制御回路２０は、入力される電圧検出信号ｂ、電流検出信号ｃ、温度情報ｅ、ランプ温度情報ｆに基づくフラグ信号ＦＧ’を出力する。このフラグ信号ＦＧ’信号は、インターフェース回路１９のフォトカプラＰｂのフォトトランジスタに供給する。フォトカプラＰｂの発光ダイオードからは、フラグ信号ＦＧ’に基づき生成されるフラグ信号ＦＧを、インターフェース回路１９の出力として出力端子２１に供給する。
【００１８】
次に、図１、図２の動作について、図３〜図５のタイミングチャートを参照しながら説明する。
【００１９】
先ず、消灯状態のランプ１７を点灯させる場合について説明する。インターフェース回路１９に、制御信号ＳＣＩが供給されるとインターフェース回路１９では、制御信号ＳＣＩ’と制御信号ＣＬを制御回路２０に出力する。制御回路２０では、例えば予め制御回路２０に記憶されたテーブル情報に基づくデューティの図３（ａ）に示すスイッチング信号ａを生成し、コンバータ１２のスイッチ素子ＳＷを駆動する。また、図３（ｄ）に示すように制御回路２０は、例えば２秒間だけ１７ｋＨｚ程度の始動・予熱点灯期間Ｈｆの駆動パルスｄでスイッチ素子ＳＷ１〜ＳＷ４を駆動し、始動・予熱点灯期間Ｈｆにおいて、スイッチ素子ＳＷ１，ＳＷ２を駆動パルスｄがＨｉレベルのときにオン、Ｌｏレベルのときにオフさせ、スイッチ素子ＳＷ３，ＳＷ４を駆動パルスｄがＬｏレベルのときにオン、Ｈｉレベルのときにオフさせる。
【００２０】
コンバータ１２では、スイッチング信号ａに基づきスイッチ素子ＳＷをオン／オフさせて電源１１の直流電圧を、スイッチング信号ａのデューティに基づく直流電圧および直流電力に変換し、インバータ１５に出力する。
【００２１】
インバータ１５に入力された直流電圧は、始動・予熱点灯期間Ｈｆの駆動パルスｄでスイッチ素子ＳＷ１，ＳＷ２およびＳＷ３，ＳＷ４を交互にオン／オフさせることによって、この期間のランプ始動回路１６はランプ１７に高圧パルス電圧を供給する。ランプ１７は高圧パルス電圧によりランプ１７を構成する電極間の絶縁が破壊されて点灯が開始し、予熱動作に移行する。なお、この期間、ランプ電力が少ないと定電圧制御、大きいと定電力制御となる。
【００２２】
次に、通常点灯時および通常点灯状態からの消灯それに通常点灯時の調光について説明する。
【００２３】
先ず、図４（ｔａ）に示すデューティ８０％の制御信号ＳＣＩが入力端子１８に供給された場合を考える。インターフェース回路１９では制御信号ＳＣＩ’とデューティ８０％に基づく直流電圧の制御信号ＣＬを制御回路２０に出力する。制御回路２０は、制御信号ＣＬの直流電圧値に基づくデューティのスイッチング信号ａを生成し、スイッチ素子ＳＷをスイッチングする。コンバータ１２では、電源１１の直流電圧をスイッチング信号ａのデューティに基づき、例えば直流電力１００Ｗになるように変換し、インバータ１５に出力する。
【００２４】
インバータ１５に入力された直流電力は、比較的低い例えば９０Ｈｚ程度の通常点灯期間Ｌｆの駆動パルスｄでスイッチ素子ＳＷ１，ＳＷ２およびＳＷ３，ＳＷ４を交互にオン／オフさせて、ランプ１７を駆動する。
【００２５】
通常点灯期間Ｌｆの駆動パルスｄは、図４（ｄ）にも示すように、制御信号ＳＣＩ’の立ち上がりに同期してオン／オフするパルスとなっている。
【００２６】
ランプ１７を消灯させる場合は、制御信号ＳＣＩ’のＬｏレベルの期間が例えば５ｍ秒以上続けば、制御回路２０は消灯の信号が入力されたとして駆動パルスｄなどの出力を停止させることで可能となる。
【００２７】
通常点灯の状態において調光を行う場合は、図４（ｔｂ）に示すデューティが５０％の制御信号ＳＣＩがインターフェース回路１９に入力されると、制御回路２０には、制御信号ＳＣＩ’と制御信号ＳＣＩ’のデューティに基づいた直流電力の制御信号ＣＬを制御回路２０に出力する。制御回路２０は、制御信号ＣＬの直流電圧値に基づくデューティのスイッチング信号ａを生成し、スイッチ素子ＳＷをスイッチングする。コンバータ１２では、スイッチング信号ａのデューティに基づく直流電力に変換し、インバータ１５に出力する。
【００２８】
このときの直流電力は、デューティ８０％のときよりも低い値となる。インバータ１５を駆動する駆動信号ｄは、図４（ｄ）にも示すように制御信号ＳＣＩの立ち上がりに同期してオン／オフするパルスであり、デューティ８０％の制御信号ＳＣＩの場合と同パルスである。従って、ランプ１７の出力電力は例えば８０Ｗとなり、電力が２０％の減少した調光が可能となる。
【００２９】
同様に、図４（ｔｃ）に示すデューティが２０％の制御信号ＳＣＩがインターフェース回路１９に入力された場合は、インバータ１５に供給される直流電力値が下がる。インバータ１５を駆動する駆動信号ｄは、図４（ｄ）にも示すように制御信号ＳＣＩの立ち上がりに同期してオン／オフするパルスであり、デューティ８０％や５０％の制御信号ＳＣＩの場合と同パルスである。デューティが２０％の制御信号ＳＣＩでは、ランプ１７の出力電力を例えば５０Ｗにすることができる。
【００３０】
このように、制御信号ＳＣＩはランプ１７の点灯始動や停止の他に、デューティを変更することでランプ１７の調光も可能となる。
【００３１】
なお、図４（ｔａ）〜（ｔｃ）示す制御信号ＳＣＩではデューティ１００％は示されていない、当然のことながら、調光しない状態下では制御信号ＳＣＩがデューティ１００％とすることもできる。調光をどの状態にするかは任意設定でき、調光量および点灯周波数も任意に変更可能である。
【００３２】
さらに、ランプを停止させる場合、制御信号ＳＣＩが例えば５ｍ秒以上Ｌｏレベルにある場合としたが、Ｈｉレベルにある場合としても構わない。
【００３３】
次に、ランプ点灯装置温度異状信号が出力された場合の制御回路２０の制御について説明する。
【００３４】
図５において、ｂはランプ電圧検出部１３で検出されたランプ電圧を、ｃはランプ電流検出部１４で検出されたランプ電流を、ｅはコンバータ１２やインバータ１５の温度情報を示している。ＦＧ’はランプ電圧ｂ、ランプ電流ｃ、温度情報ｅに基づき制御回路２０から生成されるフラグ信号である。このフラグ信号ＦＧ’は、インターフェース回路１９に供給する。
【００３５】
ランプ電圧ｂ、ランプ電流ｃが存在しない消灯期間のフラグ信号ＦＧ’の場合は、Ｈｉ（１００％Ｄｕｔｙ）のフラグ信号ＦＧがインターフェース回路１９から出力される。ランプ１７が正常点灯となり、ランプ電圧ｂ、ランプ電流ｃが正常に存在する点灯期間のフラグ信号ＦＧ’の場合は、Ｌｏ（０％Ｄｕｔｙ）のフラグ信号ＦＧがインターフェース回路１９から出力される。
【００３６】
次に、コンバータ１２やインバータ１５等のランプ点灯装置の温度が上昇し、温度情報ｅが温度異状検出ポイントＢｔに到達すると、フラグ信号ＦＧは５０％のデューティで出力される。
【００３７】
すなわち、インターフェース回路１９から出力されるフラグ信号ＦＧは、図６に示す内容の情報となる。これにより、異なるデューティが予め定義付けされた情報の内容にしてあり、フラグ信号ＦＧのデューティに基づき、ランプ点灯装置および放電ランプの情報をフラグ信号ＦＧから読み取ることが可能となる。
【００３８】
この実施形態では、図５に示すように送受信されるデータ量を減らすことにより、同じ性能のフォトカプラを使用した場合でもランプ点灯制御部とセット部間の通信スピード数μ秒程度までの時間短縮が可能となる。
【００３９】
図７は、この発明のランプ点灯装置の第２の実施形態について説明するための説明図である。この実施形態は、ランプ１７に異状な温度が発生し、ランプ温度異状信号が制御回路２０に供給された場合の制御回路２０から出力されるフラグ信号ＦＧの情報に関するものである。
【００４０】
図７において、ｂはランプ電圧検出部１３で検出されたランプ電圧を、ｃはランプ電流検出部１４で検出されたランプ電流を、ｅはコンバータ１２およびインバータ１５の温度情報、ｆはランプ１７のランプ温度情報、フラグ信号ＦＧはランプ電圧ｂ、ランプ電流ｃ、ランプ温度情報ｆに基づき制御回路２０から生成される信号である。
【００４１】
ランプ電圧ｂ、ランプ電流ｃが存在しない消灯期間では、Ｈｉ（１００％Ｄｕｔｙ）のフラグ信号ＦＧが出力される。ランプ１７が正常点灯され、ランプ電圧ｂやランプ電流ｃが正常に存在する点灯期間では、Ｌｏ（０％Ｄｕｔｙ）のフラグ信号ＦＧ信号が出力される。
【００４２】
次に、ランプ１７の温度が上昇し、温度検出信号が温度異状検出ポイントＬｔに到達すると、フラグ信号ＦＧは２５％のデューティで出力される。
【００４３】
すなわち、インターフェース回路１９から出力されるフラグ信号ＦＧは、図６に示す内容をもつ情報となる。これにより、異なるデューティを情報として予め定義付けして置くことで、フラグ信号ＦＧのデューティに基づき、ランプ点灯装置および放電ランプのそれぞれの状態情報としてフラグ信号ＦＧから読み取ることが可能となる。
【００４４】
図８〜図１０は、この発明のランプ点灯装置の第３の実施形態について説明するためのもので、図８は図２に相当する構成図、図９は図８の動作について説明するための説明図、図１０は図８要部の出力信号について説明するための説明図である。上記実施形態と同一構成部分には同一の符号を付し、ここでは異なる部分について説明する。
【００４５】
すなわち、図８に示すようにインターフェース回路１９のフォトカプラＰｂのフォトトランジスタの出力間に、直列接続された例えば５Ｖのバイアス源Ｅと抵抗Ｒ１，Ｒ２を接続し、直列接続のバイアス源Ｅと抵抗Ｒ１に、コンデンサＣ３を並列接続する。抵抗Ｒ１，Ｒ２の接続点を出力端子２１に接続する。
【００４６】
インターフェース回路１９に供給されるランプ電圧ｂ、ランプ電流ｃが存在しない図９の消灯期間では、出力端子２１からＨＩＧＨ（１００％Ｄｕｔｙ）５Ｖのフラグ信号ＦＧが出力される。ランプ１７が正常点灯し、ランプ電圧ｂ、ランプ電流ｃが正常に存在する点灯期間では、ＬＯＷ（０％Ｄｕｔｙ）０Ｖのフラグ信号ＦＧが出力される。
【００４７】
次に、ランプ点灯制御部１００からの温度情報ｅの温度が上昇し、図９（ｅ）の温度情報ｅが温度異状検出ポイントＢｔに到達すると、５０％デューティが平滑された図９（ＦＧ）に示す２．５Ｖのフラグ信号ＦＧが出力される。
【００４８】
インターフェース回路１９から出力されるフラグ信号ＦＧは、図１０に示す内容の情報となる。これにより、異なるデューティが予め定義付けされた情報の内容にしてあり、フラグ信号ＦＧのデューティに基づき、ランプ点灯装置およびランプの情報をフラグ信号ＦＧから読み取ることが可能となる。
【００４９】
図１１は、この発明のランプ点灯装置に関する第４の実施形態について説明するための図９に相当する説明図である。
【００５０】
この実施形態は、ランプ１７に異状な温度が発生し、ランプ温度異状信号が制御回路２０に供給された場合の制御回路２０から出力されるフラグ信号ＦＧの情報に関するものである。
【００５１】
すなわち、図１１（ｂ），（ｃ）ランプ電圧ｂ、ランプ電流ｃが存在しない消灯期間では、図１１（ＦＧ）に示すようにＨＩＧＨ（１００％Ｄｕｔｙ）５Ｖのフラグ信号ＦＧが出力される。ランプ１７が正常点灯し、図１１（ｂ），（ｃ）のランプ電圧ｂ、ランプ電流ｃが正常に存在する点灯期間では、図１１（ＦＧ）に示すようにＬＯＷ（０％Ｄｕｔｙ）０Ｖのフラグ信号ＦＧが出力される。
【００５２】
次に、ランプ温度が上昇し、図１１（ｆ）に示すようにランプ温度情報ｆが温度異状検出ポイントＬｔに到達した場合は、２５％デューティが平滑された１．２５Ｖのフラグ信号ＦＧが出力される。
【００５３】
この実施形態でも、異なるデューティが予め定義付けされた情報の内容にしてあり、フラグ信号ＦＧのデューティに基づき、ランプ点灯装置およびランプの情報をフラグ信号ＦＧから読み取ることが可能となる。
【００５４】
上記したこの発明のランプ点灯装置のうち、第１および第２の実施形態はこれらを組み合わせても構わないし、第３および第４の実施形態を組み合わせても構わない。また、異なるデューティの種類としては、０％，２５％，５０％，７５％，１００％としたが、これに限らず、必要に応じてデューティの種類を増減させて、ランプ点灯制御部の状態情報をセット部側で入手することも考えられる。
【００５５】
また、温度情報ｅは、コンバータ１２およびインバータ１５の温度情報としたが、何れか一方から検出される温度情報であっても構わない。さらに、温度異状を検出した時点でランプを停止するチャートとしているが、ランプ点灯制御部側ではランプを停止せずに、セット部側からの制御信号ＳＣＩで停止することも可能である。
【００５６】
図１２は、この発明の液晶プロジェクタに関する一実施形態について説明するための概略的な構成図である。図１２は、図１、図２に構成するランプ点灯装置を備えたＤＬＰ方式による液晶プロジェクタの構成を示している。
【００５７】
プロジェクタ装置３００は、円板状のカラーホイール３０１がモータの回転部に取り付けられたカラーホイールアッセンブリ３０２、カラーホイール３０１に向け、ランプ点灯装置４００により点灯されるランプ１７の光をリフレクタ３０３で反射させ照射する。カラーホイール３０１を透過させた光を反射するデジタルマイクロミラーデバイス３０４からの光をスクリーン３０５に投射する投射光学部３０６を備える。
【００５８】
カラーホイール３０１は周方向に関して、例えば、１２０度ずつに分割された３つの色領域がそれぞれＲ（赤）、Ｇ（緑）、Ｂ（青）の周波数帯の光を透過するフィルタとされ、モータにより毎分１０，０００回転程度で回転させる。デジタルマイクロミラーデバイス３０４は、微細な多数個の姿勢変更可能な反射ミラーが２次元に配列して設けられる。カラーホイール３０１からＲ・Ｇ・Ｂのいずれか順次出射される光は、集光レンズ３０８を介してデジタルマイクロミラーデバイス３０４の各反射ミラーへと導かれ、各反射ミラーの姿勢に応じて投射光学部３０６また投射光学部３０６とは異なる所定の位置に向けて反射され、投射光学部３０６へと入射する光のみがスクリーン３０５に投射される。
【００５９】
このとき、外部から入力される信号に基づいてデジタルマイクロミラーデバイス３０４がカラーホイール３０１の回転角に同期して制御され、各反射ミラーの姿勢が高速に変更される。これにより、プロジェクタ装置３００では入力信号に応じてＲ画像、Ｇ画像およびＢ画像が高速に順次切り換えられて、スクリーン３０５上にカラーの画像が映し出される。
【００６０】
カラーホイール３０１の回転角に同期させる信号としてランプ点灯装置４００のインバータを駆動させる駆動信号ｄとしている。
【００６１】
この実施形態によれば、ランプ点灯装置側の状態情報が少ないデータ量で素早く得られることから、ランプ点灯装置のランプ電流切り換えとカラーホイールとの確実な同期を取ることが可能となり、正しい画像表示の実現に寄与することができる。
【図面の簡単な説明】
【００６２】
【図１】この発明のランプ点灯装置に関する第１の実施形態について説明するための回路構成図。
【図２】図１のインターフェース回路のより具体的な一構成例について説明するための構成図。
【図３】図１の動作について説明するための説明図。
【図４】図１と図２の動作について説明するための説明図。
【図５】図２の動作について説明するための説明図。
【図６】図２のフラグ信号ＦＧの情報について説明するための説明図。
【図７】この発明のランプ点灯装置の第２の実施形態について説明するための説明図。
【図８】この発明のランプ点灯装置の第３の実施形態について説明するためのもの構成図。
【図９】図８の動作について説明するための説明図。
【図１０】図８のフラグ信号ＦＧの情報について説明するための説明図。
【図１１】この発明のランプ点灯装置に関する第４の実施形態について説明するための説明図。
【図１２】この発明の液晶プロジェクタに関する一実施形態について説明するための概念図。
【符号の説明】
【００６３】
１０００  ランプ点灯装置
１００  ランプ点灯制御部
２００  セット部
１１  電源
１２  コンバータ
１３  ランプ電圧検出部
１４  ランプ電流検出部
１５  インバータ
１６  ランプ始動回路
１７  ランプ
１８  入力端子
１９  インターフェース回路
２０  制御回路
２１  出力端子
ＳＣＩ，ＳＣＩ’，ＣＬ  制御信号
ＦＧ，ＦＧ’  フラグ信号
３００  プロジェクタ装置
３０１  カラーホイール
３０２  カラーホイールアッセンブリ
３０３  リフレクタ
３０４  デジタルマイクロミラーデバイス
３０５  スクリーン
３０６  投射光学部
３０８  集光レンズ
４００  放電灯点灯装置
【図１】
2009087549.tif 000003
【図２】
2009087549.tif 000004
【図３】
2009087549.tif 000005
【図４】
2009087549.tif 000006
【図５】
2009087549.tif 000007
【図６】
2009087549.tif 000008
【図７】
2009087549.tif 000009
【図８】
2009087549.tif 000010
【図９】
2009087549.tif 000011
【図１０】
2009087549.tif 000012
【図１１】
2009087549.tif 000013
【図１２】
2009087549.tif 000014